(57)【特許請求の範囲】
【請求項１】
吸気口を有する筐体と、
前記吸気口を覆うように前記筐体に取り付けられたフィルタとを備え、
前記フィルタは、前記筐体に取り付けられた状態で、前記吸気口よりも上方の高さ位置に位置する上端部を含み、
前記筐体および前記フィルタのいずれか一方は受入口を有する受入部を含み、いずれか他方は前記受入口から前記受入部に挿入された挿入部を含み、
前記受入部および前記挿入部のいずれか一方の部分は、前記挿入部の一方側に配置された第１の突出部と、前記挿入部の他方側に配置された第２の突出部とを有し、
前記第１の突出部の突き出す方向は、前記第２の突出部の突き出す方向の反対側であり、
前記第１の突出部は、前記第２の突出部よりも前記受入口の近くに配置されており、
前記挿入部が前記受入部に挿入された状態で、前記第１および第２の突出部の各々は、前記受入部および前記挿入部のいずれか他方の部分に当接しており、かつ前記第１および第２の突出部は前記上端部を前記吸気口側に傾かせるように構成されており、
前記受入部に前記挿入部が挿入された状態で、前記他方の部分は、前記第１および第２の突出部の各々に嵌合する第１および第２の凹み部を有する、温風暖房機。
【請求項２】
前記筐体は、前記第１および第２の突出部を含む、請求項１に記載の温風暖房機。
【請求項３】
前記フィルタは、前記第１および第２の突出部を含む、請求項１に記載の温風暖房機。
【請求項４】
前記第１の突出部は、複数の第１の突出部分を含み、
前記第２の突出部は、複数の第２の突出部分を含む、請求項１〜３のいずれか１項に記載の温風暖房機。
【請求項５】
前記受入部は、前記吸気口の左右幅方向の両側で上下方向に延在する溝を含み、
前記挿入部は、前記受入口から前記溝に挿入された凸部を含む、請求項１〜４のいずれか１項に記載の温風暖房機。
【発明の詳細な説明】
【技術分野】
【０００１】
本発明は、温風暖房機に関するものである。
【背景技術】
【０００２】
従来、ファンコンベクタ、ファンヒータなどの温風暖房機においては、筐体内に空気を吸い込むための吸気口を覆うように筐体にフィルタが取り付けられているものがある。このフィルタによって、塵埃などが捕捉される。これにより、塵埃などが吸気口から空気とともに筐体内に流入することが抑制される。
【０００３】
このような温風暖房機は、たとえば、特開２００３−３２２４１５号公報（特許文献１）に記載されている。この公報に記載された温風暖房機では、枠体の背面板に送風流路の入口が設けられている。送風流路の入口にファンカバーが設けられている。ファンカバーの外方に係止手段が設けられている。ファンカバーと係止手段との間にファンフィルタが挿通されている。ファンフィルタは、ファンカバーと係止手段との間に設けられた受入口に上方から挿入されている。
【先行技術文献】
【特許文献】
【０００４】
【特許文献１】特開２００３−３２２４１５号公報
【発明の概要】
【発明が解決しようとする課題】
【０００５】
上記の公報に記載された温風暖房機では、ファンフィルタが挿入された受入口においてファンカバーとファンフィルタとの間に隙間が発生する。そのため、この隙間からファンフィルタを通さずに空気とともに塵埃などが筐体内に流入する。
【０００６】
本発明は、上記課題に鑑みてなされたものであり、その目的は、筐体とフィルタの上端部との隙間の発生を抑制することにより、筐体とフィルタの上端部との隙間から筐体内に塵埃などが流入することを抑制できる温風暖房機を提供することである。
【課題を解決するための手段】
【０００７】
本発明の温風暖房機は、筐体と、フィルタとを備えている。筐体は、吸気口を有する。フィルタは、吸気口を覆うように筐体に取り付けられている。フィルタは、筐体に取り付けられた状態で、吸気口よりも上方の高さ位置に位置する上端部を含んでいる。筐体およびフィルタのいずれか一方は受入口を有する受入部を含み、いずれか他方は受入口から受入部に挿入された挿入部を含んでいる。受入部および挿入部のいずれか一方の部分は、挿入部の一方側に配置された第１の突出部と、挿入部の他方側に配置された第２の突出部とを有している。第１の突出部の突き出す方向は、第２の突出部の突き出す方向の反対側である。第１の突出部は、第２の突出部よりも受入口の近くに配置されている。挿入部が受入部に挿入された状態で、第１および第２の突出部の各々は受入部および挿入部のいずれか他方の部分に当接しており、かつ第１および第２の突出部は上端部を吸気口側に傾かせるように構成されている。
【０００８】
本発明の温風暖房機によれば、第１および第２の突出部はフィルタの上端部を吸気口側に傾かせるように構成されている。このため、フィルタの上端部を吸気口側に傾かせることで、筐体とフィルタの上端部との隙間の発生を抑制できる。これにより、筐体とフィルタの上端部との隙間から吸気口を通って筐体内に塵埃などが侵入することを抑制できる。
【０００９】
上記の温風暖房機においては、筐体は、第１および第２の突出部を含む。このため、筐体に第１および第２の突出部を設けることができる。
【００１０】
上記の温風暖房機においては、フィルタは、第１および第２の突出部を含む。このため、フィルタに第１および第２の突出部を設けることができる。
【００１１】
上記の温風暖房機においては、第１の突出部は、複数の第１の突出部分を含む。第２の突出部は、複数の第２の突出部分を含む。このため、複数の第１および第２の突出部分によりフィルタを安定して保持することができる。
【００１２】
上記の温風暖房機においては、受入部は、吸気口の左右幅方向の両側で上下方向に延在する溝を含む。挿入部は、受入口から溝に挿入された凸部を含む。このため、吸気口の左右幅方向の両側で上下方向に延在する溝に受入口から凸部を挿入することができる。これにより、受入部に挿入部をスライドさせて挿入することができる。
【００１３】
上記の温風暖房機においては、受入部に挿入部が挿入された状態で、他方の部分は、第１および第２の突出部の各々に嵌合する第１および第２の凹み部を有する。このため、第１および第２の突出部の各々を第１および第２の凹み部で保持することができる。これにより、受入部に挿入部をしっかりと保持することができる。
【発明の効果】
【００１４】
以上説明したように、本発明によれば、筐体とフィルタの上端部との隙間の発生を抑制することにより、筐体とフィルタの上端部との隙間から筐体内に塵埃などが流入することを抑制できる温風暖房機を提供することができる。
【図面の簡単な説明】
【００１５】
【図１】本発明の一実施の形態における温風暖房機の構成を概略的に示す斜視図である。
【図２】図１のＩＩ−ＩＩ線に沿う断面図である。
【図３】図１の筐体前面部を取り外した状態を示す斜視図である。
【図４】図１の筐体前面部およびフィルタを取り外した状態を示す斜視図である。
【図５】図２のＡ部を示す拡大図である。
【図６】本発明の一実施の形態の変形例１における温風暖房機の図５に対応する部分を概略的に示す断面図である。
【図７】本発明の一実施の形態の変形例２における温風暖房機の図５に対応する部分を概略的に示す断面図である。
【図８】本発明の一実施の形態の変形例３における温風暖房機の図５に対応する部分を概略的に示す断面図である。
【図９】本発明の一実施の形態の変形例４における温風暖房機の図５に対応する部分を概略的に示す断面図である。
【図１０】本発明の一実施の形態の変形例５における温風暖房機の図５に対応する部分を概略的に示す断面図である。
【図１１】比較例１の温風暖房機の図５に対応する部分を概略的に示す断面図である。
【図１２】比較例２の温風暖房機の図５に対応する部分を概略的に示す断面図である。
【発明を実施するための形態】
【００１６】
以下、本発明の実施の形態について図に基づいて説明する。
まず、本発明の一実施の形態における温風暖房機の構成について説明する。本実施の形態では、温風暖房機の一例としてファンコンベクタについて説明する。ファンコンベクタは温水を熱源として温風を供給する暖房機である。以下では各方向はファンコンベクタを床面に設置した状態を基準としている。なお、本実施の形態のファンコンベクタは、壁に固定されるものであってもよく、また壁に固定されずに移動可能なものであってもよい。
【００１７】
図１および図２を参照して、本実施の形態のファンコンベクタ１０は、筐体１と、熱交換器２と、送風ファン３と、モータ３ａと、制御部４と、温水配管５と、風向板６と、フィルタ７とを主に有している。筐体１の内部に熱交換器２と、送風ファン３と、モータ３ａと、制御部４と、温水配管５と、風向板６と、フィルタ７とが配置されている。
【００１８】
筐体１は、筐体本体部１ａと、筐体前面部１ｂとを有している。筐体前面部１ｂは、筐体本体部１ａの前方に配置されている。筐体１は、前面部１１と、上面部１２と、側面部１３と、背面部１４と、底面部１５とを有している。筐体本体部１ａは、上面部１２と、側面部１３と、背面部１４と、底面部１５とを構成している。筐体前面部１ｂは前面部１１を含んでいる。
【００１９】
前面部１１は筐体１の正面に配置されている。前面部１１に前面給気口１１ａが設けられている。つまり、筐体前面部１ｂは前面給気口１１ａを有している。前面給気口１１ａは前面部１１の上下方向の中央よりも下方に配置されている。前面給気口１１ａは前面部１１を前後方向に貫通している。前面給気口１１ａは前面部１１の左右方向の略全長に渡って設けられている。本実施の形態では、前面給気口１１ａはガラリ（ルーバ）の貫通孔である。また、前面部１１に吹出口１１ｂが設けられている。吹出口１１ｂは前面給気口１１ａの下方に配置されている。
【００２０】
上面部１２は、前面部１１の上方側に配置されている。上面部１２は、前面部１１の上端に接続されている。上面部１２に上面給気口１２ａが設けられている。上面給気口１２ａは上面部１２の前後方向の中央よりも前方に配置されている。上面給気口１２ａは前面部１１の近傍に配置されている。上面給気口１２ａは上面部１２を上下方向に貫通している。上面給気口１２ａは上面部１２の左右方向の略全長に渡って設けられている。
【００２１】
側面部１３は、前面部１１の側方側に配置されている。側面部１３は互いに対向する第１の側面部１３ｆと第２の側面部１３ｓとを有している。第１の側面部１３ｆおよび第２の側面部１３ｓの各々は、前面部１１、上面部１２、背面部１４および底面部１５にそれぞれ接続されている。側面部１３に側面給気口１３ａが設けられている。側面給気口１３ａは、第１の側面部１３ｆおよび第２の側面部１３ｓにそれぞれ設けられている。側面給気口１３ａは、側面部１３の前後方向の中央よりも前方に配置されている。側面給気口１３ａは前面部１１の近傍に配置されている。側面給気口１３ａは、側面部１３を左右方向に貫通している。側面給気口１３ａは、側面部１３の上端近傍から前面給気口１１ａの下端に渡って設けられている。
【００２２】
背面部１４は筐体１の背面に配置されている。背面部１４は前面部１１に対向するように配置されている。底面部１５は前面部１１の下方側に配置されている。底面部１５は前面部１１の下端に接続されている。
【００２３】
筐体本体部１ａは、吸気口ＩＰを有している。吸気口ＩＰは筐体本体部１ａ内に空気を吸い込むためのものである。吸気口ＩＰは、筐体前面部１ｂと対向するように配置されている。吸気口ＩＰは、熱交換器２の前方に配置されている。
【００２４】
筐体本体部１ａに、熱交換器２と、送風ファン３と、モータ３ａと、制御部４と、温水配管５と、風向板６と、フィルタ７とが収容されている。熱交換器２は筐体１の内部に配置されている。熱交換器２は、熱交換器２の内部を循環する湯水と、熱交換器２の周囲の空気との間で熱交換を行うためのものである。熱交換器２は前面給気口１１ａと向かい合う部分を有している。熱交換器２は送風ファン３の前方に配置されている。熱交換器２は伝熱管２ａと、フィン２ｂとを有している。伝熱管２ａは、内部を湯水が循環するように構成されている。フィン２ｂは、板状に形成されている。伝熱管２ａは、フィン２ｂを貫通している。
【００２５】
送風ファン３は、熱交換器２により熱交換された温風を筐体１の外部へ送出するよう構成されている。送風ファン３は、たとえばクロスフローファンである。送風ファン３にはモータ３ａが接続されている。送風ファン３はモータ３ａの駆動力によって回転することにより送風可能に構成されている。送風ファン３は、熱交換器２を挟んで前面給気口１１ａと向かい合うように配置されている。送風ファン３は吹出口１１ｂの上方に配置されている。
【００２６】
制御部４は、ファンコンベクタ１０を制御するマイコン（図示せず）を備えた制御基板を有しており、ファンコンベクタ１０の各部の動作を制御可能に構成されている。具体的には、制御部４は、ファンコンベクタ１０の温度センサ（サーミスタ）等からの信号を取得可能であり、ファンコンベクタ１０を流れる湯水の温度およびファンコンベクタ１０が設置されている室内の温度などを取得可能に構成されている。そして、制御部４は、取得した情報に基づいてファンコンベクタ１０の各部を制御可能に構成されている。
【００２７】
温水配管５は、筐体１の内部において熱交換器２に接続されている。温水配管５は温水を筐体１の外部から熱交換器２に循環させるように構成されている。温水配管５は図示しない熱源機に接続される。温水配管５は図示しない熱源機から供給された温水を熱交換器２に流し、熱交換器２で熱交換された温水を熱源機に流すように構成されている。具体的には、温水配管５は、第１の温水配管５ａと、第２の温水配管５ｂとを有している。第１の温水配管５ａは図示しない熱源機から供給された温水を熱交換器２に流すように構成されており、第２の温水配管５ｂは熱交換器２から温水を熱源機に流すように構成されている。
【００２８】
風向板６は吹出口１１ｂから吹出される風の向きを変えるためのものである。風向板６は送風ファン３と吹出口１１ｂとの間に配置されている。風向板６は吹出口１１ｂから露出している。
【００２９】
図２および図３を参照して、筐体本体部１ａにフィルタ７が取り付けられている。本実施の形態では、筐体本体部１ａに２つのフィルタ７が取り付けられている。フィルタ７は、前面給気口１１ａなどから流れ込んだ空気から塵埃、ゴミなどを除去するためのものである。フィルタ７は吸気口ＩＰを覆うように配置されている。フィルタ７は吸気口ＩＰの前方に配置されている。フィルタ７は、空間Ｓを介して筐体前面部１ｂと向かい合うように配置されている。前面給気口１１ａと、上面給気口１２ａと、側面給気口１３ａとは、フィルタ７と筐体前面部１ｂとの間の空間Ｓに通じている。
【００３０】
図３および図４を参照して、吸気口ＩＰは、前面給気口１１ａと、上面給気口１２ａと、側面給気口１３ａとに通じている。本実施の形態では、２つの吸気口ＩＰが設けられている。２つの吸気口ＩＰはそれぞれ筐体本体部１ａの２つの梁部ＢＰによって３つの部分に分けられている。２つのフィルタ７の各々が２つの吸気口ＩＰの各々を覆うように配置されている。
【００３１】
フィルタ７は、枠部７１と、フィルタ部７２とを有している。枠部７１は、上端部７ａと、下端部７ｂと、一対の側方部７ｃと、上下支持部７ｄと、２つの側方支持部７ｅとを有している。フィルタ部７２は、枠部７１に支持されている。フィルタ部７２は、不織布およびメッシュ材などにより構成されている。
【００３２】
上端部７ａはフィルタ７の上端を含んでいる。上端部７ａは、傾斜部ＫＰを含んでいる。傾斜部ＫＰは上端部７ａの上端から下端に向かって前方に傾斜している。下端部７ｂはフィルタ７の下端を含んでいる。
【００３３】
一対の側方部７ｃはそれぞれ上端部７ａの一方端部と下端部７ｂの一方端部とを接続しており、上端部７ａの他方端部と下端部７ｂの他方端部とを接続している。上下支持部７ｄは上端部７ａおよび下端部７ｂのそれぞれの中央において上端部７ａと下端部７ｂとを接続している。２つの側方支持部７ｅはそれぞれ一対の側方部７ｃを互いに接続している。筐体１にフィルタ７が取り付けられた状態で、２つの側方支持部７ｅはそれぞれ２つの梁部ＢＰと重なるように配置されている。
【００３４】
図２および図５を参照して、上端部７ａは、フィルタ７が筐体１に取り付けられた状態で、吸気口ＩＰよりも上方の高さ位置に位置する。フィルタ７が筐体１に取り付けられた状態で、上端部７ａの上端は、筐体本体部１ａの前面ＦＳに当接している。したがって、上端部７ａの上端と筐体本体部１ａの前面ＦＳとの隙間は発生していない。
【００３５】
図４および図５を参照して、筐体１は、受入部ＲＰを含んでいる。受入部ＲＰは受入口ＲＨを有している。受入部ＲＰは、吸気口ＩＰの左右幅方向の両側で上下方向に延在する溝を含んでいる。受入口ＲＨは、受入部ＲＰの上端に設けられている。受入口ＲＨは上方に向かって開口している。溝は吸気口ＩＰの左右幅方向の両側から内側に向かって開口している。溝は、上下方向に直交する方向の断面視において略コ字状に形成されている。
【００３６】
フィルタ７は受入口ＲＨから受入部ＲＰに挿入された挿入部ＩＳを含んでいる。挿入部ＩＳは、受入口ＲＨから溝に挿入された凸部を含んでいる。凸部は側方部７ｃによって構成されている。受入部ＲＰに挿入部ＩＳが挿入された状態で、傾斜部ＫＰの下端が受入部ＲＰの上端に当接することにより、フィルタ７が受入部ＲＰに係止されている。
【００３７】
受入部ＲＰは、第１の突出部Ｐ１および第２の突出部Ｐ２を有している。第１の突出部Ｐ１は挿入部ＩＳの一方側に配置されている。第２の突出部Ｐ２は挿入部ＩＳの他方側に配置されている。第１の突出部Ｐ１の突き出す方向は、第２の突出部Ｐ２の突き出す方向の反対側である。本実施の形態では、第１の突出部Ｐ１は後方に向かって突き出しており、第２の突出部Ｐ２は前方に向かって突き出している。つまり、第１の突出部Ｐ１および第２の突出部Ｐ２は互いに向かい合う方向に突出している。
【００３８】
第１の突出部Ｐ１および第２の突出部Ｐ２はそれぞれ半球形状に構成されている。このため、挿入部ＩＳが受入部ＲＰに出し入れされる際に、第１の突出部Ｐ１および第２の突出部Ｐ２がそれぞれ受入部ＲＰに引っ掛かることを抑制できる。
【００３９】
第１の突出部Ｐ１は、第２の突出部Ｐ２よりも受入口ＲＨの近くに配置されている。第１の突出部Ｐ１は第２の突出部Ｐ２よりも上方の高さ位置に配置されている。第１の突出部Ｐ１は挿入部ＩＳに対して吸気口ＩＰと反対側に配置されている。第２の突出部Ｐ２は挿入部ＩＳに対して吸気口ＩＰ側に配置されている。
【００４０】
挿入部ＩＳが受入部ＲＰに挿入された状態で、第１の突出部Ｐ１および第２の突出部Ｐ２の各々は挿入部ＩＳに当接している。第１の突出部Ｐ１および第２の突出部Ｐ２は、上端部７ａを吸気口ＩＰ側に傾かせるように構成されている。本実施の形態では、筐体１は第１の突出部Ｐ１および第２の突出部Ｐ２を含んでいる。
【００４１】
第１の突出部Ｐ１の突き出す方向の高さ寸法ｈ１と、第２の突出部Ｐ２の突き出す方向の高さ寸法ｈ２と、挿入部ＩＳの前後方向の厚さ寸法ｔ１との合計は、受入部ＲＰの前後方向の内周面同士の距離ｔ２よりも大きい。このため、挿入部ＩＳが受入部ＲＰに挿入されると、第１の突出部Ｐ１および第２の突出部Ｐ２を支点として挿入部ＩＳが傾くことにより、上端部７ａは吸気口ＩＰ側に傾くことになる。
【００４２】
本実施の形態では、挿入部ＩＳの前後方向の厚さ寸法ｔ１は、第１の突出部Ｐ１と第２の突出部Ｐ２との前後方向の距離ｔ３よりも大きい。また、挿入部ＩＳの前後方向の厚さ寸法ｔ１は、第１の突出部Ｐ１の頂点と第２の突出部Ｐ２の頂点との間の直線距離よりも小さい。
【００４３】
次に、本実施の形態のファンコンベクタの動作について説明する。
再び図１および図２を参照して、本実施の形態のファンコンベクタ１０は設置された室内の温度を昇温および維持するための暖房運転を行うことができる。具体的には、図示しない熱源機から第１の温水配管５ａに温水が供給される。第１の温水配管５ａに供給された温水は第１の温水配管５ａを通って熱交換器２の伝熱管２ａに流れる。なお、熱交換器２で熱交換された温水は第２の温水配管５ｂを通って図示しない熱源機に送られる。
【００４４】
モータ３ａの駆動力によって送風ファン３が回転する。これにより、図２中矢印Ａ１で示すように前面給気口１１ａから空気が筐体１の内部に吸い込まれる。また、図１に示す上面給気口１２ａおよび側面給気口１３ａからも空気が筐体１の内部に吸い込まれる。これらの筐体１の内部に吸い込まれた空気はフィルタ７を通って吸気口ＩＰから熱交換器２の周囲に流れる。そして、熱交換器２の内部を循環する湯水と、熱交換器２の周囲の空気との間で、伝熱管２ａおよびフィン２ｂを介して熱交換が行われる。これにより、熱交換器２の周囲の空気は温められる。この温められた空気が送風されることにより温風が生じる。
【００４５】
この温風は、送風ファン３を経由して図２中矢印Ａ２で示すように筐体１の内部の流路Ｆを通って吹出口１１ｂに送られる。そして、この温風は、図２中矢印Ａ３に示すように吹出口１１ｂから室内に吹出される。このようにして、本実施の形態のファンコンベクタ１０では、暖房運転が行われる。
【００４６】
次に、本実施の形態の変形例の温風暖房機について説明する。以下の変形例の温風暖房機では、特に言及しない限り、上記の本実施の形態の温風暖房機と同じ構成については同じ符号を付し、その説明を繰り返さない。
【００４７】
まず、図６を参照して、本実施の形態の変形例１の温風暖房機について説明する。上記の本実施の形態の温風暖房機では、筐体１が第１の突出部Ｐ１および第２の突出部Ｐ２を含んでいる。しかしながら、筐体１が第１の突出部Ｐ１および第２の突出部Ｐ２を含んでいなくてもよい。
【００４８】
図６に示すように、本実施の形態の変形例１の温風暖房機では、フィルタ７は、第１の突出部Ｐ１および第２の突出部Ｐ２を含んでいる。本実施の形態の変形例１の温風暖房機では、第１の突出部Ｐ１は前方に向かって突き出しており、第２の突出部Ｐ２は後方に向かって突き出している。つまり、第１の突出部Ｐ１および第２の突出部Ｐ２は互いに離れる方向に突出している。
【００４９】
続いて、図７を参照して、本実施の形態の変形例２の温風暖房機について説明する。上記の本実施の形態の温風暖房機では、筐体１が受入部ＲＰを含んでいる。しかしながら、筐体１が受入部ＲＰを含んでいなくてもよい。
【００５０】
図７に示すように、本実施の形態の変形例２の温風暖房機では、フィルタ７が受入部ＲＰを含んでいる。具体的には、フィルタ７の一対の側方部７ｃに受入部ＲＰが設けられている。また、筐体１が挿入部ＩＳを含んでいる。
【００５１】
本実施の形態の変形例２の温風暖房機では、第１の突出部Ｐ１は前方に向かって突き出しており、第２の突出部Ｐ２は後方に向かって突き出している。つまり、第１の突出部Ｐ１および第２の突出部Ｐ２は互いに向かい合う方向に突出している。
【００５２】
また、本実施の形態の変形例２の温風暖房機では、第１の突出部Ｐ１は挿入部ＩＳに対して吸気口ＩＰ側に配置されている。第２の突出部Ｐ２は挿入部ＩＳに対して吸気口ＩＰと反対側に配置されている。
【００５３】
続いて、図８を参照して、本実施の形態の変形例３の温風暖房機について説明する。上記の本実施の形態の温風暖房機では、筐体１が第１の突出部Ｐ１および第２の突出部Ｐ２を含んでいる。また、筐体１が受入部ＲＰを含んでいる。しかしながら、筐体１が第１の突出部Ｐ１および第２の突出部Ｐ２を含んでいなくてもよい。また、筐体１が受入部ＲＰを含んでいなくてもよい。
【００５４】
図８に示すように、本実施の形態の変形例３の温風暖房機では、フィルタ７は、第１の突出部Ｐ１および第２の突出部Ｐ２を含んでいる。また、フィルタ７が受入部ＲＰを含んでいる。具体的には、図４に示すフィルタ７の一対の側方部７ｃに受入部ＲＰが設けられている。また、筐体１が挿入部ＩＳを含んでいる。
【００５５】
本実施の形態の変形例３の温風暖房機では、第１の突出部Ｐ１は後方に向かって突き出しており、第２の突出部Ｐ２は前方に向かって突き出している。つまり、第１の突出部Ｐ１および第２の突出部Ｐ２は互いに離れる方向に突出している。
【００５６】
また、本実施の形態の変形例３の温風暖房機では、第１の突出部Ｐ１は挿入部ＩＳに対して吸気口ＩＰ側に配置されている。第２の突出部Ｐ２は挿入部ＩＳに対して吸気口ＩＰと反対側に配置されている。
【００５７】
続いて、図９を参照して、本実施の形態の変形例４の温風暖房機について説明する。上記の本実施の形態の温風暖房機では、受入部ＲＰおよび挿入部ＩＳのいずれか一方に第１の突出部Ｐ１および第２の突出部Ｐ２はそれぞれ１つずつ設けられている。しかしながら、第１の突出部Ｐ１および第２の突出部Ｐ２はそれぞれ複数設けられていてもよい。
【００５８】
図９に示すように、本実施の形態の変形例４の温風暖房機では、第１の突出部Ｐ１は、複数の第１の突出部分Ｐ１０を含んでいる。複数の第１の突出部分Ｐ１０は、上下方向に互いに離れて配置されている。第２の突出部Ｐ２は、複数の第２の突出部分Ｐ２０を含んでいる。複数の第２の突出部分Ｐ２０は、上下方向に互いに離れて配置されている。上下方向において複数の第１の突出部分Ｐ１０の間に複数の第２の突出部分Ｐ２０のうちの１つの第２の突出部分Ｐ２０が配置されている。
【００５９】
続いて、図１０を参照して、本実施の形態の変形例５の温風暖房機について説明する。本実施の形態の変形例５の温風暖房機では、フィルタ７は第１の突出部Ｐ１および第２の突出部Ｐ２を有している。挿入部ＩＳが第１の突出部Ｐ１および第２の突出部Ｐ２を有している。筐体１は、第１の凹み部Ｈ１および第２の凹み部Ｈ２を有している。受入部ＲＰが第１の凹み部Ｈ１および第２の凹み部Ｈ２を有している。
【００６０】
第１の凹み部Ｈ１は第１の突出部Ｐ１と嵌合するように形成されている。第２の凹み部Ｈ２は第２の突出部Ｐ２と嵌合するように形成されている。受入部ＲＰに挿入部ＩＳが挿入された状態で、第１の凹み部Ｈ１は第１の突出部Ｐ１に嵌合しており、第２の凹み部Ｈ２は第２の突出部Ｐ２に嵌合している。
【００６１】
また、上記では、挿入部ＩＳが第１の突出部Ｐ１および第２の突出部Ｐ２を有し、受入部ＲＰが第１の凹み部Ｈ１および第２の凹み部Ｈ２を有している。しかしながら、受入部ＲＰが第１の突出部Ｐ１および第２の突出部Ｐ２を有しており、挿入部ＩＳが第１の凹み部Ｈ１および第２の凹み部Ｈ２を有していてもよい。また、筐体１が第１の突出部Ｐ１および第２の突出部Ｐ２を有しており、フィルタ７が第１の凹み部Ｈ１および第２の凹み部Ｈ２を有していてもよい。
【００６２】
次に、本実施の形態の温風暖房機の作用効果について、比較例の温風暖房機と対比して説明する。特に説明しない限り、比較例の温風暖房機は、本実施の形態の温風暖房機と同様の構成を有している。続いて、本実施の形態の変形例の温風暖房機の作用効果について説明する。
【００６３】
図１１を参照して、比較例１の温風暖房機は、図５に示す第１の突出部Ｐ１および第２の突出部Ｐ２を有していない点で本実施の形態の温風暖房機と主に異なっている。比較例１の温風暖房機では、受入口ＲＨから受入部ＲＰに挿入部ＩＳを出し入れするために、受入部ＲＰの内周面と挿入部ＩＳとに隙間が設けられている。そのため、フィルタ７は受入部ＲＰに挿入された状態で前後方向に移動する。したがって、フィルタ７の上端部７ａと筐体本体部１ａの前面ＦＳとに隙間が発生する。
【００６４】
図１２を参照して、比較例２の温風暖房機は、図５に示す第２の突出部Ｐ２を有していない点で本実施の形態の温風暖房機と主に異なっている。比較例２の温風暖房機は、第１の突出部Ｐ１を有している。比較例２の温風暖房機でも受入口ＲＨから受入部ＲＰに挿入部ＩＳを出し入れするために、受入部ＲＰの内周面と挿入部ＩＳとに隙間が設けられている。比較例２の温風暖房機は第１の突出部Ｐ１を有しているため、受入部ＲＰの内周面と挿入部ＩＳとの隙間は小さくなる。しかしながら、フィルタ７は受入部ＲＰに挿入された状態で前後方向に移動する。したがって、フィルタ７の上端部７ａと筐体本体部１ａの前面ＦＳとに隙間が発生する。
【００６５】
これに対して、図５に示すように、本実施の形態の温風暖房機によれば、第１の突出部Ｐ１および第２の突出部Ｐ２はフィルタ７の上端部７ａを吸気口ＩＰ側に傾かせるように構成されている。このため、フィルタ７の上端部７ａを吸気口ＩＰ側に傾かせることで、筐体本体部１ａの前面ＦＳとフィルタ７の上端部７ａとの隙間の発生を抑制できる。これにより、筐体本体部１ａの前面ＦＳとフィルタ７の上端部７ａとの隙間から吸気口ＩＰを通って筐体１内に塵埃などが侵入することを抑制できる。
【００６６】
また、図５に示すように、本実施の形態の温風暖房機では、筐体１は、第１の突出部Ｐ１および第２の突出部Ｐ２を含んでいる。このため、筐体１に第１の突出部Ｐ１および第２の突出部Ｐ２を設けることができる。
【００６７】
また、図６に示すように、本実施の形態の変形例１の温風暖房機では、フィルタ７は、第１の突出部Ｐ１および第２の突出部Ｐ２を含んでいる。このため、フィルタ７に第１の突出部Ｐ１および第２の突出部Ｐ２を設けることができる。
【００６８】
また、図９に示すように、本実施の形態の変形例４の温風暖房機では、第１の突出部Ｐ１は、複数の第１の突出部分Ｐ１０を含む。第２の突出部Ｐ２は、複数の第２の突出部分Ｐ２０を含む。このため、複数の第１の突出部分Ｐ１０および第２の突出部分Ｐ２０によりフィルタ７を安定して保持することができる。
【００６９】
また、図４および図５に示すように、本実施の形態の変形例５の温風暖房機では、受入部ＲＰは、吸気口ＩＰの左右幅方向の両側で上下方向に延在する溝を含む。挿入部ＩＳは、受入口ＲＨから溝に挿入された凸部を含む。このため、吸気口ＩＰの左右幅方向の両側で上下方向に延在する溝に受入口ＲＨから凸部を挿入することができる。これにより、受入部ＲＰに挿入部ＩＳをスライドさせて挿入することができる。
【００７０】
また、図１０に示すように、本実施の形態の変形例５の温風暖房機では、受入部ＲＰに挿入部ＩＳが挿入された状態で、受入部ＲＰは第１の突出部Ｐ１および第２の突出部Ｐ２の各々に嵌合する第１の凹み部Ｈ１および第２の凹み部Ｈ２を有している。このため、第１の突出部Ｐ１および第２の突出部Ｐ２の各々を第１の凹み部Ｈ１および第２の凹み部Ｈ２で保持することができる。これにより、受入部ＲＰに挿入部ＩＳをしっかりと保持することができる。また、第１の突出部Ｐ１および第２の突出部Ｐ２の各々に第１の凹み部Ｈ１および第２の凹み部Ｈ２が嵌合することで、クリック感を得ることができる。
【００７１】
なお、上記では本実施の形態の温風暖房機の一例としてファンコンベクタについて説明したが、本実施の形態の温風暖房機はファンコンベクタに限定されず、ガスファンヒータ、石油ファンヒータなどのファンヒータであってもよい。
【００７２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００７３】
１  筐体、１ａ  筐体本体部、２  熱交換器、３  送風ファン、３ａ  モータ、４  制御部、５  温水配管、５ａ  第１の温水配管、５ｂ  第２の温水配管、６  風向板、７  フィルタ、７ａ  上端部、７ｂ  下端部、７ｃ  側方部、７ｄ  上下支持部、７ｅ  側方支持部、１０  ファンコンベクタ、１１  前面部、１１ａ  前面給気口、１１ｂ  吹出口、１２  上面部、１２ａ  上面給気口、１３  側面部、１３ａ  側面給気口、１３ｆ  第１の側面部、１３ｓ  第２の側面部、１４  背面部、１５  底面部、７１  枠部、７２  フィルタ部、ＢＰ  梁部、Ｆ  流路、ＦＳ  前面、Ｈ１  第１の凹み部、Ｈ２  第２の凹み部、ＩＰ  吸気口、ＩＳ  挿入部、ＫＰ  傾斜部、Ｐ１  第１の突出部、Ｐ２  第２の突出部、Ｐ１０  第１の突出部分、Ｐ２０  第２の突出部分、ＲＨ  受入口、ＲＰ  受入部、Ｓ  空間。
【図１】
0006536194.tif 000002
【図２】
0006536194.tif 000003
【図３】
0006536194.tif 000004
【図４】
0006536194.tif 000005
【図５】
0006536194.tif 000006
【図６】
0006536194.tif 000007
【図７】
0006536194.tif 000008
【図８】
0006536194.tif 000009
【図９】
0006536194.tif 000010
【図１０】
0006536194.tif 000011
【図１１】
0006536194.tif 000012
【図１２】
0006536194.tif 000013